(57)【要約】【課題】収容されたたばこパッケージを手前側に押し出すために使用するばねが露出されることなく、さらにマガジンに対して前後方向のいずれにもたばこパッケージを押し出すことができるたばこパッケージの収容マガジンを提供する。【解決手段】箱体形状のたばこパッケージを立てて並べて収容可能であり、前後方向に長尺の容器２と、該容器２内を前後方向に沿って移動可能な押し出し装置４と、該押し出し装置４に内蔵され、渦巻きばねを含むぜんまいユニットと、前記押し出し装置４内に配され、前記渦巻きばねの巻軸となる回転軸と、前記押し出し装置４の左右の少なくとも一方の外側面に配され、前記回転軸とともに回転するピニオンギヤと、前記容器２の少なくとも一の内側面に関して前後方向に延び、前記ピニオンギヤに噛合するラックギヤ８とを備えた。【選択図】図２
2012176088.tif 000002
【特許請求の範囲】
【請求項１】
箱体形状のたばこパッケージの上部を露出させながら立てて並べて収容可能であり、前後方向に長尺の容器と、
該容器内を前後方向に沿って移動可能な押し出し装置と、
該押し出し装置に内蔵され、渦巻きばねを含むぜんまいユニットと、
前記押し出し装置内に配され、前記渦巻きばねの巻軸となる回転軸と、
前記押し出し装置の左右の少なくとも一方の外側面に配され、前記回転軸とともに回転するピニオンギヤと、
前記容器の少なくとも一の内側面に関して前後方向に延び、前記ピニオンギヤに噛合するラックギヤと
を備えたことを特徴とするたばこパッケージの収容マガジン。
【請求項２】
前記ピニオンギヤは、前記押し出し装置の左右両側面にそれぞれ形成され、
前記ラックギヤは、前記容器の左右両方の内側面にそれぞれ形成され、
前記ピニオンギヤは、前記ラックギヤのそれぞれと噛合可能であることを特徴とする請求項１に記載のたばこパッケージの収容マガジン。
【請求項３】
前記押し出し装置は、
前記容器の左右方向に互いに摺動できる左ケース及び右ケースと、
前記押し出し装置内に配され、該左ケース及び右ケースを離間させる方向に付勢された圧縮ばねとをさらに含み、
前記容器は、
前記左右両方の内側面に関して前後方向に延び、前記ラックギヤが配されて該ラックギヤと噛合された状態の前記ピニオンギヤを収容可能な溝をさらに含むことを特徴とする請求項２に記載のたばこパッケージの収容マガジン。
【請求項４】
前記左ケース及び右ケースのいずれか一方は前記ピニオンギヤと一体として形成され、
前記左ケース及び右ケースのそれぞれの外周側面であって、前記圧縮ばねが圧縮された状態で互いに同一の周方向に位置する突起が形成されていることを特徴とする請求項３に記載のたばこパッケージの収容マガジン。
【請求項５】
前記容器の底面両端部には、上方に傾斜している傾斜部が形成されていることを特徴とする請求項２〜４のいずれかに記載のたばこパッケージの収容マガジン。
【請求項６】
前記容器の一方の端面における外側面に、前記容器に収容されるたばこパッケージの情報を記載したラベルを収容可能な収容部が形成されていることを特徴とする請求項１〜５のいずれかに記載のたばこパッケージの収容マガジン。
【発明の詳細な説明】
【技術分野】
【０００１】
本発明は、たばこパッケージの収容マガジンに関する。より詳しくは、マガジン内に並べられたたばこパッケージが押し出されるたばこパッケージの収容マガジンに関するものである。
【背景技術】
【０００２】
商品陳列装置が特許文献１に開示されている。この装置は、商品のカウンター上に設置するたばこ箱等の商品の陳列を安全かつ安定性よく保持し、取り出しやすくするものである。たばこパッケージ（たばこ箱）は、長尺のマガジン（トレー）に対して長手方向となる前後方向に並べて収容され、手前のたばこ箱を取り出せば後側のたばこ箱が手前側に自動的に移動する。特許文献１では、たばこ箱を手前方向に押し出すための動力源として、コンストンばね等の巻ばねを利用している。
【０００３】
しかしながら、特許文献１のような押し出し機構では、巻ばねが露出しているので、取扱に際し注意が必要であり、誤って触れた場合にけがをするおそれがある。また、巻ばねはその一端がトレーの後側に固定されているので、収容されたたばこ箱はトレーに対して一方向にしか押し出すことができない。
【先行技術文献】
【特許文献】
【０００４】
【特許文献１】特開２００９−１０６５３６号公報
【発明の概要】
【発明が解決しようとする課題】
【０００５】
本発明は、上記従来技術を考慮したものであって、収容されたたばこパッケージを手前側に押し出すために使用するばねが露出されることなく、さらにマガジンに対して前後方向のいずれにもたばこパッケージを押し出すことができるたばこパッケージの収容マガジンを提供することを目的とする。
【課題を解決するための手段】
【０００６】
前記目的を達成するため、本発明では、箱体形状のたばこパッケージの上部を露出させながら立てて並べて収容可能であり、前後方向に長尺の容器と、該容器内を前後方向に沿って移動可能な押し出し装置と、該押し出し装置に内蔵され、渦巻きばねを含むぜんまいユニットと、前記押し出し装置内に配され、前記渦巻きばねの巻軸となる回転軸と、前記押し出し装置の左右の少なくとも一方の外側面に配され、前記回転軸とともに回転するピニオンギヤと、前記容器の少なくとも一の内側面に関して前後方向に延び、前記ピニオンギヤに噛合するラックギヤとを備えたことを特徴とするたばこパッケージの収容マガジンを提供する。
【０００７】
好ましくは、前記ピニオンギヤは、前記押し出し装置の左右両側面にそれぞれ形成され、前記ラックギヤは、前記容器の左右両方の内側面にそれぞれ形成され、前記ピニオンギヤは、前記ラックギヤのそれぞれと噛合可能である。
【０００８】
好ましくは、前記押し出し装置は、前記容器の左右方向に互いに摺動できる左ケース及び右ケースと、前記押し出し装置内に配され、該左ケース及び右ケースを離間させる方向に付勢された圧縮ばねとをさらに含み、前記容器は、前記左右両方の内側面に関して前後方向に延び、前記ラックギヤが配されて該ラックギヤと噛合された状態の前記ピニオンギヤを収容可能な溝をさらに含む。
【０００９】
好ましくは、前記左ケース及び右ケースのいずれか一方は前記ピニオンギヤと一体として形成され、前記左ケース及び右ケースのそれぞれの外周側面であって、前記圧縮ばねが圧縮された状態で互いに同一の周方向に位置する突起が形成されている。
【００１０】
好ましくは、前記容器の底面両端部には、上方に傾斜している傾斜部が形成されている。
好ましくは、前記容器の一方の端面における外側面に、前記容器に収容されるたばこパッケージの情報を記載したラベルを収容可能な収容部が形成されている。
【発明の効果】
【００１１】
本発明によれば、容器の内側面に関して前後方向に延びるラックギヤにピニオンギヤを噛合させ、この状態で押し出し装置を容器内の前後方向のいずれか一方（例えば後方向）に沿って移動（巻き移動）させれば、ピニオンギヤとともに回転軸が回転し、これに伴いぜんまいユニット内の渦巻きばねが巻軸に巻締められる。このとき、押し出し装置は渦巻きばねの復元力によりピニオンギヤを逆回転させようとするので、このピニオンギヤとラックギヤとが噛合していることと相俟って、容器内の前後方向の他の一方（例えば前方向）に移動（戻り移動）しようとする。この戻り移動方向の手前にたばこパッケージを立てて並べて収容すれば、押し出し装置はたばこパッケージを戻り方向手前側に常に押圧した状態となる。したがって、容器前側のたばこパッケージを取り出せば、奥側に収容されたたばこパッケージが手前側に自動的に押し出されて移動してくるので、たばこパッケージの取り出し位置が常に同じ場所とすることができ、取り扱い性が向上する。このとき、たばこパッケージを手前側に押圧するための渦巻きばねはぜんまいユニットとして押し出し装置内に内蔵されているので、使用者が誤ってこの渦巻きばねに触れることはなく、安全性も向上する。したがって、渦巻きばねによる復元力と、ラックギヤ及びピニオンギヤとの協働により、取り扱い性が高められ、安全性が高められたたばこパッケージの収容マガジンを得ることができる。
【００１２】
また、ピニオンギヤは、押し出し装置の左右両側面にそれぞれ形成され、ラックギヤは、容器の左右両方の内側面にそれぞれ形成され、ピニオンギヤは、ラックギヤのそれぞれと噛合可能であることとすれば、押し出し装置を容器に対して前後方向のいずれにも巻き移動及び戻り移動させることができる。すなわち、押し出し装置の左右両側面に形成されたピニオンギヤのそれぞれは、容器の左右両側面に形成されたラックギヤのいずれにも噛合可能であるため、押し出し装置の向きを変えれば、容器内を一方向だけでなく、両方向に移動させることができる。したがって、容器の向きを変えずに、容器前後の所望の側からたばこパッケージを取り出せるようにすることができる。
【００１３】
また、押し出し装置を圧縮ばねにより左右方向に互いに摺動できる左ケース及び右ケースとで形成し、容器内側面にピニオンギヤを収容可能な溝を形成することにより、押し出し装置を容器内に入れ込む際に、左右方向に圧縮させ、容器内で圧縮ばねの復元力で押し出し装置を伸長させれば、押し出し装置の左右両端に形成されたピニオンギヤが溝に収容される。したがって、容器内における押し出し装置の上下方向に対する揺動を防止できるので、ピニオンギヤの歯飛びを防止でき、たばこパッケージを確実に押し出すことができる。
【００１４】
また、圧縮ばねが圧縮された状態で互いに同一の周方向に位置する突起を左ケース及び右ケースの外周側面に設けることにより、押し出し装置を左右方向に圧縮させた場合に、これらの突起が周方向に当接するため、左ケース及び右ケースが互いに相対的に回転することが防止される。したがって、ぜんまいユニットの渦巻きばねが巻き締められた状態で押し出し装置を左右方向に圧縮させて容器から取り外しても、ピニオンギヤが回転することはない。これを利用して、押し出し装置を容器内で一方向に数回移動させることができ、確実に渦巻きばねを巻き締めることができる。
【００１５】
また、上方に傾斜している傾斜部を容器の底面両端部に形成すれば、取り出し手前側に位置するたばこパッケージが容器から上方に突出した状態となるので、取り出しやすく、取り扱い性が向上する。
【００１６】
また、容器の一方の端面における外側面に、容器に収容されるたばこパッケージの情報を記載したラベルを収容可能な収容部を設ければ、収容されたたばこパッケージの情報を容易に得ることができる。したがって、ラベルの情報を参照してたばこパッケージを容器から取り出すことができる。また、上述したような容器前後の所望の側からたばこパッケージを取り出せる構造とすれば、容器に収容されたたばこパッケージを商品として店舗に陳列した場合に、収容部側を購入者側に配置し、取り出し側を店員側とすることができる。
【図面の簡単な説明】
【００１７】
【図１】本発明に係るたばこパッケージの収容マガジンにたばこパッケージを収容した状態を示す概略図である。
【図２】本発明に係るたばこパッケージの収容マガジンを示す概略図である。
【図３】押し出し装置の概略図である。
【図４】押し出し装置の概略図である。
【図５】押し出し装置を分解した状態を示す概略図である。
【図６】押し出し装置を分解した状態を示す概略図である。
【図７】本発明に係る別のたばこパッケージの収容マガジンを示す概略図である。
【図８】容器に押し出し装置を収容したときの状態を示す概略図である。
【図９】本発明に係るたばこパッケージの収容マガジンにたばこパッケージを収容した状態の概略断面図である。
【図１０】収容部が解放された状態を示す概略図である。
【図１１】本発明に係るたばこパッケージの収容マガジンの概略断面図である。
【図１２】本発明に係るたばこパッケージの収容マガジンの概略断面図である。
【発明を実施するための形態】
【００１８】
図１を参照すれば明らかなように、本発明に係るたばこパッケージの収容マガジン１は、長手方向を前後方向とする長尺の容器２を有している。この容器２は、上面が開口した略箱体形状である。容器２には、たばこパッケージ３の上部を露出させながら立てて並べて収容可能である。このたばこパッケージ３は、略箱体形状を有し、例えば複数本のたばこを箱に詰めて包装したものである。
【００１９】
また、図２を参照すれば明らかなように、容器２内には、押し出し装置４が収容されている。この押し出し装置４は、容器２内を前後方向に沿って移動可能である。図３〜図６を参照すれば明らかなように、押し出し装置４内には渦巻きばね（不図示）を含むぜんまいユニット５が内蔵されている。このぜんまいユニット５の外周には、例えば押し出し装置４の内壁と係合可能な係合部９（図５、図６参照）が形成されていて、押し出し装置４内でぜんまいユニット５自らが回転することを防止されている。図の例では、係合部９は軸方向に沿って立設された２枚の壁体であり、この壁体の間に押し出し装置４の内壁に設けられた板状の突出壁（不図示）が差し込まれてぜんまいユニット５の回転を防止する。また、押し出し装置４内には、渦巻きばねの巻き軸となる回転軸６が配されている。押し出し装置の左右両側の外側面には、それぞれピニオンギヤ７が配されている。このピニオンギヤ７は回転軸６と連動して回転する。これら両側のピニオンギヤ７は、回転軸６を介して同期して回転する。一方、容器２の内側面には、前後方向に延びるラックギヤ８が形成されている（図２参照）。このラックギヤ８は、ピニオンギヤ７と噛合可能である。
【００２０】
以上のような構造によれば、容器２の内側面に関して前後方向に延びるラックギヤ８にピニオンギヤ７を噛合させ、この状態で押し出し装置４を容器２内の前後方向のいずれか一方（例えば図１で示す後方向）に沿って移動（巻き移動）させれば、ピニオンギヤ７とともに回転軸が回転し、これに伴いぜんまいユニット５内の渦巻きばねが巻軸（不図示）に巻締められる。このとき、押し出し装置４は渦巻きばねの復元力によりピニオンギヤ７を逆回転させようとするので、このピニオンギヤ７とラックギヤ８とが噛合していることと相俟って、容器２内の前後方向の他の一方（例えば図１で示す前方向）に移動（戻り移動）しようとする。すなわち、渦巻きばねの復元力が回転軸６の回転動力源となり、ピニオンギヤ７を回転させ、この回転動力はラックギヤ８により直線方向の動力に変換されて押し出し装置４は容器２内を戻り方向に移動できることになる。この渦巻きばねによる回転動力は、押し出し装置４を容器２に沿って巻き移動させるだけの簡単な操作で得られることができる。
【００２１】
なお、図２に示すようにラックギヤ８をピニオンギヤ７の下側に配してもよいし、図７に示すように、ラックギヤ８をピニオンギヤ７の上側に配してもよい。どちらに配しても、ピニオンギヤ７を噛合させて渦巻ばねを回転させることができる。すなわち、設計の都合に合わせて適宜変更可能である。
【００２２】
図１に示すように、戻り移動方向の手前（すなわち容器２の前側）にたばこパッケージ３を立てて並べて収容すれば、押し出し装置４はたばこパッケージ３を戻り方向手前側に常に押圧した状態となる。したがって、容器２の前側のたばこパッケージ３を取り出せば、奥側に収容されたたばこパッケージ３が手前側に自動的に押し出されて移動してくるので、たばこパッケージ３の取り出し位置が常に同じ場所とすることができ、取り扱い性が向上する。実際の使用では、最前側のたばこパッケージ３を一つずつ取り出す。このとき、上述したように、たばこパッケージ３を手前側に押圧するための渦巻きばねはぜんまいユニット５として押し出し装置内に内蔵されているので、使用者が誤ってこの渦巻きばねに触れることはなく、安全性も向上する。したがって、渦巻きばねによる復元力と、ラックギヤ７及びピニオンギヤ８との協働により、取り扱い性が高められ、安全性が高められたたばこパッケージの収容マガジン１を得ることができる。
【００２３】
なお、ピニオンギヤ７は押し出し装置４の左右の少なくとも一方の外側面に形成されていれば少なくとも上記たばこパッケージ３を押し出すという効果を得ることができる。図で示したように、ピニオンギヤ７を押し出し装置４の左右両側面に形成した場合には、ラックギヤ８もこれに伴い容器２の左右両方の内側面にそれぞれ形成される。
【００２４】
ピニオンギヤ７は、ラックギヤ８のそれぞれと噛合可能である。すなわち、押し出し装置の左右両側面に形成された一方のピニオンギヤ７（例えば右側）は、容器２の左右両側面に形成されたラックギヤ８のいずれにも噛合可能であり、他方のピニオンギヤ７（例えば左側）もまた、ラックギヤ８のいずれにも噛合可能である。したがって、押し出し装置４は、容器２に対して前後方向に向きを変えることができる。これにより、容器２に対して前後方向のいずれにも巻き移動及び戻り移動させることができる。これを利用して、容器２の向きを変えずに、容器２前後の所望の側からたばこパッケージ３を取り出せるようにすることができる。
【００２５】
押し出し装置４についてさらに詳述すると、押し出し装置４は有底の中空円筒形状をなす左ケース１０と右ケース１１とを有している。図３〜図６を参照すれば明らかなように、左ケース１０は右ケース１１よりも径が小さい部分を有し、この部分において両ケース１０及び１１は互いに左右方向に摺動可能である。押し出し装置４内には圧縮ばね１２が配され、この圧縮ばね１２は左ケース１０及び右ケース１１を離間させる方向に付勢している。したがって、押し出し装置４が組み立てられた状態では、左ケース１０及び右ケース１１は互いに付勢され、押し出し装置４全体としては左右方向に伸長した状態である。
【００２６】
なお、図の例では、右ケース１１の端面にはねじ１３を介してピニオンギヤ７が取付けられ、このピニオンギヤ７とともに回転する回転軸６が右ケース１１内に配されている。具体的には、ねじ１３は回転軸６の軸心に螺合されている。さらに右ケース１１には、この回転軸６が挿通されたぜんまいユニット５が配されている。右ケース１１の開口側には、固定パーツ１５が取付けられている。この取付は、右ケース１１の開口側の端面から軸方向に切欠かれた複数の切欠き１４に対し、固定パーツ１５の外周面に形成された軸方向に延びて突出する突状部１６を差し込んで行われる。固定パーツ１５は、右ケース１１に取付けられて右ケース１１の一部を形成することになる。左ケース１０は、この固定パーツ１５の内側を通って圧縮ばね１２を介在させて右ケース１１内に挿入される。右ケース１１には、ピニオンギヤ７が一体として形成されている。このような構造の押し出し装置４は、上述したような容器２内で巻き移動の際、すなわちピニオンギヤ７が回転された際、左ケース１０も回転し、さらに圧縮ばね１２及び回転軸６も回転される。このとき、圧縮ばね１２とぜんまいユニット５との間には、シート１７が配されていて、このシート１７は、圧縮ばね１２が回転したときに圧縮ばね１２とぜんまいユニット５との摩擦を軽減する。
【００２７】
図２又は図８を参照すれば明らかなように、容器２には、左右両方の内側面に関して前後方向に延びる溝１８が形成されている。図の例では、この溝１８の下側の側面にラックギヤ８が形成されている。この溝１８内には、押し出し装置４の両端に配されたピニオンギヤ７がそれぞれ収容可能である。このような構造では、容器２に押し出し装置４を収容する際は、上述した圧縮ばね１２を圧縮させて左ケース１０と右ケース１１を互いに接する方向に圧縮し、容器２内に入れ込んでから圧縮ばね１２を解放し、押し出し装置４を左右方向に伸長させる。この動作により、押し出し装置４の左右両端に形成されたピニオンギヤ７が溝１８に収容される。したがって、容器２内における押し出し装置４の上下方向に対する揺動を防止できるので、ピニオンギヤ７の歯飛びを防止でき、たばこパッケージ３を確実に押し出すことができる。また、このような溝１８は、容器２の側面の強度向上にも寄与する。
【００２８】
左ケース１０及び右ケース１１のそれぞれの外周側面には、突起１９及び２０が形成されている。これら突起１９、２０は押し出し装置４が伸長している状態では互いに軸方向（左右方向）に離間しているが、圧縮ばね１２を圧縮させて押し出し装置４を圧縮させた状態では互いに同一の周方向に位置づけられる。すなわち、突起１９が図８の矢印Ａ方向に移動し、隣り合う突起２０の間に入り込む。これにより、左ケース１０及び右ケース１１が互いに相対的に回転することが防止される。すなわち、押し出し装置４を圧縮させるだけの簡単な操作で、左ケース１０（又は右ケース１１）の回転を防止することができる。したがって、ぜんまいユニット５の渦巻きばねが巻き締められた状態で押し出し装置４を左右方向に圧縮させて容器２から取り外しても、ピニオンギヤ７（左ケース１０）が回転することはない。これを利用して、押し出し装置４を容器２内で一方向に数回移動させることができ（巻き移動を数回行うことができ）、確実に渦巻きばねを巻き締めることができる。
【００２９】
また、図９を参照すれば明らかなように、容器２の底面両端部には、上方に傾斜している傾斜部２１が形成されている。このように上方に傾斜している傾斜部２１を容器２の底面両端部に形成すれば、取り出し手前側に位置するたばこパッケージ３が容器２から上方に突出した状態となるので、取り出しやすく、取り扱い性が向上する。すなわち、容器２の前側からたばこパッケージ３を取り出すように押し出し装置４で押圧するようにすれば（押し出し装置４が戻り移動するようにすれば）、最前側のたばこパッケージ３が上方に飛び出し、常に取り出しやすい状況を提供することができる。このように容器２の両端部に傾斜部２１を設けることは、押し出し装置４が容器２に対していずれの方向にもたばこパッケージ３を押し出せる構造を有しているからこそ効果を奏するものである。
【００３０】
また、押し出し装置４には、ピニオンギヤ７とラックギヤ８とが噛合した状態で、容器２の底面に当接する当接体２２が形成されている。この当接体２２は、図３〜図６に示すように、固定パーツ１５の外周面から周方向の一部に亘って突出する板材である。なお、当接体２２は、固定パーツ１５のみならず、右ケース１１の外周面から周方向の一部に亘って突出させてもよい。このような当接体２２を押し出し装置４に設ければ、作用反作用の関係で、押し出し装置４のピニオンギヤ７を除く本体部分（右ケース１１）が容器２内で回転することを防止できる。
【００３１】
また、容器２の一方の端面における外側面には、容器２に収容されるたばこパッケージ３の情報を記載したラベルを収容可能な収容部２３が形成されている。この収容部２３は、図１、図２、図９に示されるように、容器２の端面を覆うカバーで形成されている。このカバーと容器２の端面との間の隙間にラベルを収容可能である。ラベルは、カバーと容器２の端面との間であって、解放されている上側から挿入される。このラベルを容易に参照可能とするため、カバーは透明材料で形成されていることが好ましい。カバーはその両端が折り曲げられ、容器２の側面下側にて軸支されている。この軸（不図示）を支点に回動させることにより、図１０を参照すれば明らかなように、カバー（収容部２３）は開閉可能である。収容部２３を解放させることで、収容部２３内に付着したごみや埃を容易に除去できる。カバーを閉じるときは、例えば図１０に示すようにカバーの折り曲げ部分を貫通する孔２４と、容器２側面から突出する突出部２５を嵌合させる。このような収容部２３を設けることにより、収容されたたばこパッケージ３の情報を容易に得ることができる。
【００３２】
したがって、例えば図１１に示すように収容部２３側に戻り移動させるように押し出し装置４を配すれば、ラベルの情報を参照してたばこパッケージを容器２から取り出すことができる。一方で、容器２の向きは変えずに、図１２に示すように、押し出し装置４の戻り移動方向を変更すれば、収容部２３と反対側の端部からたばこパッケージ３を取り出すようにすることができる。このようにすれば、容器２に収容されたたばこパッケージ３を商品として店舗に陳列した場合に、収容部２３側を購入者側に配置し、取り出し側を店員側とすることができる。
【符号の説明】
【００３３】
１  たばこパッケージの収容マガジン
２  容器
３  たばこパッケージ
４  押し出し装置
５  ぜんまいユニット
６  回転軸
７  ピニオンギヤ
８  ラックギヤ
９  係合部
１０  左ケース
１１  右ケース
１２  圧縮ばね
１３  ねじ
１４  切欠き
１５  固定パーツ
１６  突状部
１７  シート
１８  溝
１９  突起
２０  突起
２１  傾斜部
２２  当接体
２３  収容部
２４  孔
２５  突出部
【図１】
2012176088.tif 000003
【図２】
2012176088.tif 000004
【図３】
2012176088.tif 000005
【図４】
2012176088.tif 000006
【図５】
2012176088.tif 000007
【図６】
2012176088.tif 000008
【図７】
2012176088.tif 000009
【図８】
2012176088.tif 000010
【図９】
2012176088.tif 000011
【図１０】
2012176088.tif 000012
【図１１】
2012176088.tif 000013
【図１２】
2012176088.tif 000014